(57)【要約】【課題】陸上であっても水中であっても好適に利用することができるルーペの提供。【解決手段】ルーペ１は、平行光を収束させる円盤状の凸レンズ部２と、凸レンズ部２と対向する円盤状の対向部３と、凸レンズ部２と、対向部３とを接続する接続部４とを備える。凸レンズ部２、対向部３、および接続部４は、透明である。接続部４は、凸レンズ部２、および対向部３と一体的に成形されている。また、ルーペ１は、凸レンズ部２と、対向部３と、接続部４とによって密閉された中空部６を備える。【選択図】図２
0003178962.tif 000002
【実用新案登録請求の範囲】
【請求項１】
平行光を収束させる凸レンズ部と、
前記凸レンズ部の光軸上に配設されるとともに、前記凸レンズ部の球面と対向する板状に形成された透明な対向部と、
前記凸レンズ部と、前記対向部とを接続する接続部と、
前記凸レンズ部と、前記対向部と、前記接続部とによって密閉された中空部とを備え、
前記接続部は、前記凸レンズ部、および前記対向部の少なくともいずれか一方と一体的に成形されていることを特徴とするルーペ。
【請求項２】
請求項1に記載されたルーペにおいて、
前記凸レンズ部は、前記対向部側の側面とは反対側の側面を平面とする平凸レンズ状に形成されていることを特徴とするルーペ。
【請求項３】
請求項１または請求項２に記載されたルーペにおいて、
前記対向部は、前記凸レンズ部側の側面を球面とし、前記球面とは反対側の側面を平面とする平凸レンズ状に形成されていることを特徴とするルーペ。
【請求項４】
請求項１から請求項３のいずれかに記載されたルーペにおいて、
前記接続部は、
前記凸レンズ部と一体的に成形された第１の接続部と、
前記対向部と一体的に成形された第２の接続部とを備え、
前記第１の接続部と、前記第２の接続部とを互いに接続することによって、前記凸レンズ部と、前記対向部とを接続することを特徴とするルーペ。
【請求項５】
請求項１から請求項４のいずれかに記載されたルーペにおいて、
前記凸レンズ部、前記対向部、および前記接続部は、アクリル樹脂からなることを特徴とするルーペ。
【考案の詳細な説明】
【技術分野】
【０００１】
本考案は、ルーペに関し、特に陸上であっても水中であっても好適に利用することができるルーペに関する。
【背景技術】
【０００２】
近年、スクーバダイビングのダイバーは、ダイビングコンピュータや、コンパスなどの様々な計器類を使用することによって、スクーバダイビングを行っている。例えば、ダイビングコンピュータは、減圧症への罹患を回避するため、水深の履歴から減圧停止の必要性や、手順などを計算し、ダイバーに指示する電子機器である。
【０００３】
ところで、このような計器類において、文字や数字などの表示が小さくて見にくい場合には、例えば、特許文献１に記載されているような一般的なルーペを利用し、表示を拡大することによって、文字や数字などを見やすくすることが考えられる。
このような一般的なルーペは、陸上においては計器類の表示を十分に拡大して見やすくすることができ、好適に利用することができる。これは、ルーペのレンズの屈折率と、空気の屈折率との差が大きいからである。
【先行技術文献】
【特許文献】
【０００４】
【特許文献１】特開２００４−２９３７１号公報
【考案の概要】
【考案が解決しようとする課題】
【０００５】
しかしながら、このような一般的なルーペは、水中においては計器類の表示を十分に拡大することができず、好適に利用することができないという問題がある。これは、ルーペのレンズの屈折率と、水の屈折率との差が小さいからである。
【０００６】
本考案の目的は、陸上であっても水中であっても好適に利用することができるルーペを提供することである。
【課題を解決するための手段】
【０００７】
本考案のルーペは、平行光を収束させる凸レンズ部と、凸レンズ部の光軸上に配設されるとともに、凸レンズ部の球面と対向する板状に形成された透明な対向部と、凸レンズ部と、対向部とを接続する接続部と、凸レンズ部と、対向部と、接続部とによって密閉された中空部とを備え、接続部は、凸レンズ部、および対向部の少なくともいずれか一方と一体的に成形されていることを特徴とする。
【０００８】
このような構成によれば、ルーペは、凸レンズ部と、対向部と、接続部とによって密閉された中空部を備えているので、陸上であっても水中であっても好適に利用することができる。
具体的には、凸レンズ部の屈折率と、中空部内の空気層の屈折率との差は大きいので、陸上においてはルーペを好適に利用することができる。
また、凸レンズ部の屈折率と、水の屈折率との差が小さい場合であっても、凸レンズ部の屈折率と、中空部内の空気層の屈折率との差は大きいので、水中においてもルーペを好適に利用することができる。
【０００９】
また、このような構成によれば、接続部は、凸レンズ部、および対向部の少なくともいずれか一方と一体的に成形されているので、一般的なルーペのように枠体にレンズを嵌め込む必要はなく、ルーペを容易に製造することができる。
【００１０】
本考案では、凸レンズ部は、対向部側の側面とは反対側の側面を平面とする平凸レンズ状に形成されていることが好ましい。
【００１１】
このような構成によれば、凸レンズ部と、ルーペの外部との境界面を平面とすることができるので、ルーペの光学設計を容易にすることができる。
【００１２】
本考案では、対向部は、凸レンズ部側の側面を球面とし、球面とは反対側の側面を平面とする平凸レンズ状に形成されていることが好ましい。
【００１３】
このような構成によれば、対向部は、凸レンズ部側の側面を球面としているので、対向部の両側面を平面とした場合と比較して、ルーペの拡大率を大きくすることができる。
また、対向部と、ルーペの外部との境界面を平面としているので、ルーペの光学設計を容易にすることができる。
【００１４】
本考案では、接続部は、凸レンズ部と一体的に成形された第１の接続部と、対向部と一体的に成形された第２の接続部とを備え、第１の接続部と、第２の接続部とを互いに接続することによって、凸レンズ部と、対向部とを接続することが好ましい。
【００１５】
このような構成によれば、凸レンズ部と、対向部とを同一の形状に設計することができるので、ルーペの製造コストを低減させることができる。
【００１６】
本考案では、凸レンズ部、対向部、および接続部は、アクリル樹脂からなることが好ましい。
【００１７】
このような構成によれば、光学ガラスなどの他の材料を採用する場合と比較して、凸レンズ部、対向部、および接続部を容易に成形することができるとともに、ルーペの製造コストを低減させることができる。
【図面の簡単な説明】
【００１８】
【図１】本考案の第１実施形態に係るルーペを斜め上方側から見た斜視図
【図２】ルーペの上面図および断面図
【図３】凸レンズ部と、対向部とを分解した図
【図４】本考案の第２実施形態に係る凸レンズ部と、対向部とを分解した図
【考案を実施するための形態】
【００１９】
〔第１実施形態〕
以下、本考案の第１実施形態を図面に基づいて説明する。
図１は、本考案の第１実施形態に係るルーペ１を斜め上方側から見た斜視図である。図２は、ルーペ１の上面図および断面図である。なお、図２の上図は、ルーペ１の上面図であり、図２の下図は、この上面図におけるＡ−Ａ断面図である。
【００２０】
ルーペ１は、図１および図２に示すように、平行光を収束させる円盤状の凸レンズ部２と、凸レンズ部２と対向する円盤状（板状）の対向部３と、凸レンズ部２と、対向部３とを接続する接続部４と、凸レンズ部２および対向部３の動径方向に向かって接続部４から突出する取手部５とを備える。このルーペ１は、アクリル樹脂を成形したものである。すなわち、凸レンズ部２、対向部３、接続部４、および取手部５は、アクリル樹脂からなり、これらの部分は透明である。
また、ルーペ１は、図２に示すように、凸レンズ部２と、対向部３と、接続部４とによって密閉された中空部６を備える。
【００２１】
凸レンズ部２は、対向部３側の側面とは反対側の側面を平面とする平凸レンズ状に形成されている。
対向部３は、凸レンズ部２側の側面を球面とし、この球面とは反対側の側面を平面とする平凸レンズ状に形成されている。
そして、凸レンズ部２および対向部３は、互いの光軸を一致させるように配設されている。すなわち、対向部３は、凸レンズ部２の光軸上に配設されている。
【００２２】
図３は、凸レンズ部２と、対向部３とを分解した図である。
接続部４は、図２および図３に示すように、凸レンズ部２と一体的に成形された第１の接続部４１と、対向部３と一体的に成形された第２の接続部４２とを備え、第１の接続部４１と、第２の接続部４２とを互いに接続することによって、凸レンズ部２と、対向部３とを接続する。
【００２３】
第１の接続部４１は、凸レンズ部２の周縁に沿って円環状に形成されている。この第１の接続部４１は、第２の接続部４２と当接する面に形成された円弧状の４つの突起部４１Ａを備える。
第２の接続部４２は、対向部３の周縁に沿って円環状に形成されている。この第２の接続部４２は、第１の接続部４１と当接する面に形成された円弧状の４つの溝部４２Ａを備える。これらの溝部４２Ａは、突起部４１Ａと対応する位置にそれぞれ形成されている。
【００２４】
取手部５は、ルーペ１を使用する際に把持する部分である。この取手部５は、凸レンズ部２と一体的に成形された第１の取手部５１と、対向部３と一体的に成形された第２の取手部５２とを備える。
【００２５】
第１の取手部５１は、凸レンズ部２の動径方向を長手方向とする楕円環状に形成されている。この第１の取手部５１は、第２の取手部５２と当接する面に形成された直線状の２つの突起部５１Ａを備える。
第２の取手部５２は、対向部３の動径方向を長手方向とする楕円環状に形成されている。この第２の取手部５２は、第１の取手部５１と当接する面に形成された直線状の２つの溝部５２Ａを備える。
【００２６】
第１の接続部４１および第１の取手部５１と、第２の接続部４２および第２の取手部５２とを互いに接続するには、各突起部４１Ａ，５１Ａを各溝部４２Ａ，５２Ａに嵌め込むように位置合わせをした後、第１の接続部４１および第１の取手部５１と、第２の接続部４２および第２の取手部５２とを超音波溶着等により溶着・接着して貼り合わせる。
【００２７】
このような第１実施形態によれば、以下の作用・効果を奏することができる。
（１）ルーペ１は、凸レンズ部２と、対向部３と、接続部４とによって密閉された中空部６を備えているので、陸上であっても水中であっても好適に利用することができる。また、接続部４は、凸レンズ部２、および対向部３と一体的に成形されているので、一般的なルーペのように枠体にレンズを嵌め込む必要はなく、ルーペ１を容易に製造することができる。
【００２８】
（２）凸レンズ部２は、対向部３側の側面とは反対側の側面を平面とする平凸レンズ状に形成されているので、凸レンズ部２と、ルーペ１の外部との境界面を平面とすることができる。したがって、ルーペ１の光学設計を容易にすることができる。
（３）対向部３は、凸レンズ部２側の側面を球面とし、この球面とは反対側の側面を平面とする平凸レンズ状に形成されている。したがって、対向部３は、凸レンズ部２側の側面を球面としているので、対向部３の両側面を平面とした場合と比較して、ルーペ１の拡大率を大きくすることができる。また、対向部３と、ルーペ１の外部との境界面を平面としているので、ルーペ１の光学設計を容易にすることができる。
【００２９】
（４）接続部４は、凸レンズ部２と一体的に成形された第１の接続部４１と、対向部３と一体的に成形された第２の接続部４２とを備え、第１の接続部４１と、第２の接続部４２とを互いに接続することによって、凸レンズ部２と、対向部３とを接続するので、凸レンズ部２と、対向部３とを同一の形状に設計することができる。したがって、ルーペ１の製造コストを低減させることができる。
【００３０】
（５）凸レンズ部２、対向部３、および接続部４は、アクリル樹脂からなるので、光学ガラスなどの他の材料を採用する場合と比較して、凸レンズ部２、対向部３、および接続部４を容易に成形することができるとともに、ルーペ１の製造コストを低減させることができる。
【００３１】
〔第２実施形態〕
以下、本発明の第２実施形態を図面に基づいて説明する。
図４は、本発明の第２実施形態に係る凸レンズ部２と、対向部３Ａとを分解した図である。
なお、以下の説明では、既に説明した部分については、同一符号を付してその説明を省略する。
【００３２】
前記第１実施形態では、対向部３は、凸レンズ部２側の側面を球面とし、この球面とは反対側の側面を平面とする平凸レンズ状に形成されていた。
これに対して、本実施形態では、ルーペ１Ａは、図４に示すように、対向部３Ａを備え、対向部３Ａは、両側面を平面とする板状に形成されている点で異なる。
【００３３】
このような本実施形態においても、前記第１実施形態における（１），（２），（５）と同様の作用、効果を奏することができる他、以下の作用、効果を奏することができる。
（６）対向部３Ａは、両側面を平面とする板状に形成されているので、対向部３Ａの凸レンズ部２側の側面を球面とし、この球面とは反対側の側面を平面とした場合と比較して、ルーペ１の光学設計を容易にすることができる。
【００３４】
〔実施形態の変形〕
なお、本考案は前記実施形態に限定されるものではなく、本考案の目的を達成できる範囲での変形、改良等は本考案に含まれるものである。
例えば、前記各実施形態では、接続部４は、凸レンズ部２と一体的に成形された第１の接続部４１と、対向部３と一体的に成形された第２の接続部４２とを備えていた。これに対して、接続部は、凸レンズ部のみと一体的に成形されていてもよく、対向部のみと一体的に成形されていてもよい。さらには、凸レンズ部、対向部、および接続部の全てを一体的に成形してもよい。要するに、接続部は、凸レンズ部、および対向部の少なくともいずれか一方と一体的に成形されていればよい。
【００３５】
前記各実施形態では、凸レンズ部２は、対向部３側の側面とは反対側の側面を平面とする平凸レンズ状に形成されていたが、両側面を球面とする凸レンズ状に形成されていてもよい。要するに、凸レンズ部は、平行光を収束させる部分であればよい。
【００３６】
前記第１実施形態では、対向部３は、凸レンズ部２側の側面を球面とし、この球面とは反対側の側面を平面とする平凸レンズ状に形成されていた。また、前記第２実施形態では、対向部３Ａは、両側面を平面とする板状に形成されていた。これに対して、対向部は、両側面を球面とする凸レンズ状に形成されていてもよい。要するに、対向部は、凸レンズ部の球面と対向する板状に形成された透明な部分であればよい。
【００３７】
前記各実施形態では、ルーペ１は、アクリル樹脂を成形したものであったが、例えば、ポリカーボネート樹脂、ＰＳ（ポリスチレン）樹脂、ガラス、石英などの他の透明な材料を成形したものであってもよい。要するに、ルーペは、凸レンズ部と、透明な対向部とを備えていればよい。
前記各実施形態では、ルーペ１は、取手部５を備えていたが、これを備えていなくてもよい。なお、ルーペ１は、単体で使用してもよく、他の装置に嵌め込むことで使用してもよい。
【産業上の利用可能性】
【００３８】
以上のように、本考案は、ルーペに適用でき、特に陸上であっても水中であっても好適に利用することができるルーペに広く適用できる。
【符号の説明】
【００３９】
１，１Ａ        ルーペ
２              凸レンズ部
３，３Ａ        対向部
４              接続部
５              取手部
６              中空部
４１            第１の接続部
４１Ａ，５１Ａ  突起部
４２            第２の接続部
４２Ａ，５２Ａ  溝部
５１            第１の取手部
５２            第２の取手部
【図１】
0003178962.tif 000003
【図２】
0003178962.tif 000004
【図３】
0003178962.tif 000005
【図４】
0003178962.tif 000006